(57)【要約】【課題】映像表示装置の表示画面における表示領域において、表示される表示画像の輝度や色相が異なること、あるいは表示領域によって外光の影響が異なることで発生する色むら（表示むら）を抑制することができる映像表示システムを提供する。【解決手段】本発明の映像表示システムは、表示画面に表示された所定の表示画像を撮像装置で撮像した撮像画像データから取得した第１色むら補正データと、当該第１色むらデータにより所定の表示画像を補正して表示した表示画像を視認により補正した際のユーザ調整画像データから第２色むら補正データとを生成する画像補正データ生成部と、表示画面に表示画像を表示する際、第１色むら補正データ及び第２色むら補正データにより表示画面に表示する表示画像の表示画像データの色むらを補正して表示する映像表示部とを備える。【選択図】図１
2020068414.tif 000002
【特許請求の範囲】
【請求項１】
映像表示装置の表示画面に表示された所定の調整表示画像を、撮像装置によって撮像して撮像画像データを取得する撮像画像データ取得過程と、
前記撮像画像データを用いて、前記調整表示画像の表示画像データの色むらの補正を行なう第１色むら補正データを生成する第１色むら補正データ生成過程と、
前記第１色むら補正データにより補正した前記調整表示画像をユーザが視認して、当該視認により色むら補正を行なったユーザ調整画像データから第２色むら補正データを取得する第２色むら補正データ生成過程と、
を含むことを特徴とする映像表示装置の色むら補正方法。
【請求項２】
前記第２色むら補正データが取得された後、前記表示画面に表示される表示画像の表示画像データを、前記第１色むら補正データ取得過程により得られた前記第１色むら補正データと前記第２色むら補正データとにより補正する表示画像補正過程をさらに有する
ことを特徴とする請求項１に記載の映像表示装置の色むら補正方法。
【請求項３】
前記第１色むら補正データ及び前記第２色むら補正データの各々が、前記表示画像データにおける画素の輝度値の調整比率である
ことを特徴とする請求項１または請求項２に記載の映像表示装置の色むら補正方法。
【請求項４】
前記第２色むら補正データが取得された後、当該第２色むら補正データ、前記第１色むら補正データの順番で補正して表示する表示過程をさらに含む
ことを特徴とする請求項３に記載の映像表示装置の色むら補正方法。
【請求項５】
表示画面に表示された所定の調整表示画像を撮像装置で撮像した撮像画像データから取得した第１色むら補正データと、当該第１色むらデータにより前記所定の調整表示画像を補正して表示した当該調整表示画像を視認により補正した際のユーザ調整画像データから第２色むら補正データとを生成する画像補正データ生成部と、
前記表示画面に表示画像を表示する際、前記第１色むら補正データ及び前記第２色むら補正データにより前記表示画面に表示する表示画像の表示画像データの色むらを補正して表示する映像表示部と
を備えることを特徴とする映像表示システム。
【請求項６】
前記画像補正データ生成部が、
前記撮像画像データから前記表示画面に表示される前記表示画像の色むらを補正する前記第１色むら補正データを生成する第１色むら補正データ生成部と、
前記第１色むら補正データにより色むらを補正した前記表示画像における色むらを、視認により補正した前記ユーザ調整画像データから第２色むら補正データを生成する第２色むら補正データ生成部と、
をさらに備えることを特徴とする請求項５に記載の映像表示システム。
【発明の詳細な説明】
【技術分野】
【０００１】
本発明は、映像表示システム及び映像表示装置の色むら補正方法に関する。
【背景技術】
【０００２】
液晶ディスプレイや有機ＥＬ（electroluminescence）ディスプレイなどからなる映像表示装置は、一般に多種の構成要素を有している。この多種の構成要素からなる映像表示装置においては、画素の駆動回路等における駆動電圧等の電気的特性のばらつき、画素形成のための電極等のパターニング、偏光板、カラーフィルターや各種機能性フイルム等の光学フイルムにおける性能欠陥等、これら様々な原因により、表示画像に色むらが生じやすい。
例えば、３板式投写型の映像表示装置においては、使用する液晶パネルの透過率のバラツキにより、色むらが発生する。また、直視型の映像表示装置においては、バックライトの照射むらなどにより、色むらが発生する。
【０００３】
このため、映像表示装置において表示画像の色相の均一性は、表示画像の品質に直接影響を与え、その装置の商品性能を左右するため、色相のむらである色むらが生じたものに対しては、色むらの補正を行なう必要がある。
画素間での色むらの補正方法としては、ＣＣＤ（charge coupled device）カメラなどの撮像装置を用いて撮像した撮像画像データを用いる方法がある。
【０００４】
すなわち、映像表示装置の表示画面における所定の表示画像を、撮像装置により撮像して、得られた撮像画像データから映像表示装置の表示画面内のホワイトバランスの分布を求める。そして、求めたホワイトバランスの分布に基づいて、映像表示装置における表示画面における各画素の色むらの補正を行なう。
また、このとき、撮像装置が撮像した撮像画像データそのものに色むらや輝度むらが存在する場合、正しい調整が行なわれないため、予め色むらのない所定の画像を撮像することで、撮像装置の内部パラメータなどの構成を行なっている（例えば、特許文献１参照）。
【先行技術文献】
【特許文献】
【０００５】
【特許文献１】特開平０６−２１７３３６号公報
【発明の概要】
【発明が解決しようとする課題】
【０００６】
しかしながら、特許文献１における撮像装置の校正方法は、映像表示装置の表示画面から放射される放射光に外光が加わる場合に、撮像画像データへの外光の影響が考慮されていない。
一般的な映像表示装置は、光源として高圧水銀ランプやＬＥＤ（ light emitting diode）が使用されている。このため、図８に示すように、光源としての放射光の発光スペクトルの強度が特定の波長で高くなる特性を有し、不連続な発光スペクトルとなっている。
【０００７】
一方、外光としては、例えば、太陽光や白熱電球の放射光の発光スペクトルが特定の波長で高くなることがなく、図９に示すように、隣接する周波数において連続した強度の発光スペクトルとなっている。図８及び図９の各々とも、縦軸が発光スペクトルの強度（最大の発光スペクトルの強度により規格化されている）を示し、横軸が周波数を示している。
したがって、映像表示装置の表示画面の表示画像がユーザの視認において色むらが存在していない場合でも、外光の影響によって撮像装置で撮像した撮像画像データにおいては色むらが発生することになる。
【０００８】
色むらの補正は、撮像装置で撮像した撮像画像データを用いて、映像表示装置の表示画面における画素間の相対的な色相のずれを調整することにより行なう。
このため、外光の影響が含まれた撮像画像データを用いて、映像表示装置の表示画面における画素間の色むらを補正した場合、外光と映像表示装置の光源との発光スペクトルの特性が異なるため、表示画面の色むらの補正を精度良く行なうことができない。
【０００９】
本発明は、このような事情に鑑みてなされたもので、映像表示装置の表示画面における表示領域において、表示される表示画像の輝度や色相が異なること、あるいは表示領域によって外光の影響が異なることで発生する色むら（表示むら）を抑制することができる映像表示システム及び映像表示装置の色むら補正方法を提供する。
【課題を解決するための手段】
【００１０】
上述した課題を解決するために、本発明の映像表示装置の色むら補正方法は、映像表示装置の表示画面に表示された所定の調整表示画像を、撮像装置によって撮像して撮像画像データを取得する撮像画像データ取得過程と、前記撮像画像データを用いて、前記調整表示画像の表示画像データの色むらの補正を行なう第１色むら補正データを生成する第１色むら補正データ生成過程と、前記第１色むら補正データにより補正した前記調整表示画像をユーザが視認して、当該視認により色むら補正を行なったユーザ調整画像データから第２色むら補正データを取得する第２色むら補正データ生成過程と、を含むことを特徴とする。
【００１１】
本発明の映像表示システムは、表示画面に表示された所定の調整表示画像を撮像装置で撮像した撮像画像データから取得した第１色むら補正データと、当該第１色むらデータにより前記調整表示画像を補正して表示した表示画像を視認により補正した際のユーザ調整画像データから第２色むら補正データとを生成する画像補正データ生成部と、前記表示画面に表示画像を表示する際、前記第１色むら補正データ及び前記第２色むら補正データにより前記表示画面に表示する表示画像の表示画像データの色むらを補正して表示する映像表示部とを備えることを特徴とする。
【発明の効果】
【００１２】
以上説明したように、本発明によれば、映像表示装置の表示画面における表示領域において、表示される表示画像の輝度や色相が異なること、あるいは表示領域によって外光の影響が異なることで発生する色むら（表示むら）を抑制することができる映像表示システム及び映像表示装置の色むら補正方法を提供することが可能となる。
【図面の簡単な説明】
【００１３】
【図１】本発明の一実施形態による映像表示装置１及び調整補正データ生成装置２の各々を備える映像表示システムの構成例を示すブロック図である。
【図２】第１色むら補正データ生成部２２による第１色むら補正データの生成例を説明する概念図である。
【図３】第２色むら補正データ生成部２３による第２色むら補正データの生成例を説明する概念図である。
【図４】本実施形態における調整補正データ生成装置２が第１色むら補正データ及び第２色むら補正データの各々を生成する処理の動作例を説明するフローチャートである。
【図５】映像表示装置１及び調整補正データ生成装置２との各々による第２色むら補正データを生成処理を説明する概念図である。
【図６】通常の表示画像データを第１色むら補正データ及び第２色むら補正データの各々を用いて映像表示装置が表示画面に表示画像を表示する処理の動作例を示すフローチャートである。
【図７】本発明の実施形態の概念を説明する図である。
【図８】高圧水銀ランプやＬＥＤなどの光源の放射光の発光スペクトルの形状を示す図である。
【図９】太陽光や白熱電球などの光源の放射光の発光スペクトルの形状を示す図である。
【発明を実施するための形態】
【００１４】
以下、本発明の一実施形態について、図面を参照して説明する。
図１は、本発明の一実施形態による映像表示装置１及び画像補正データ生成装置２の各々を備える映像表示システムの構成例を示すブロック図である。図１において、本実施形態においては、映像表示システムが、例えば、映像表示装置１、画像補正データ生成装置２及び撮像装置３の各々を備えている。
【００１５】
映像表示装置１は、データ入出力部１１、表示画像補正部１２、表示制御部１３、画像データ記憶部１４、調整補正データ記憶部１５及び表示部１６の各々を備えている。
データ入出力部１１は、画像補正データ生成装置２との間でデータの送受信を行なうとともに、表示部１６の表示画面に表示する表示画像のデータを外部装置から入力する。
【００１６】
表示画像補正部１２は、第１色むら補正データ（後述）と、第２色むら補正データ（後述）とを生成し、これら第１色むら補正データ及び第２色むら補正データの各々を用いて外部装置から供給される表示画像のデータ（表示画像データ）を補正する。
【００１７】
表示制御部１３は、補正データにより補正された表示画像データを、表示部１６の表示画面に表示画像として表示する。
【００１８】
画像データ記憶部１４には、外部装置から供給された表示画像データが、データ入出力部１１により一旦書き込まれて記憶される。また、画像データ記憶部１４には、補正データにより補正された表示画像データが書き込まれて記憶されている。
【００１９】
調整補正データ記憶部１５には、後述する画像補正データ生成装置２から供給される、表示部１６の表示画面における画素毎の第１色むら補正データ及び第２色むら補正データの各々が、データ入出力部１１により書き込まれて記憶されている。
【００２０】
画像補正データ生成装置２は、データ入出力部２１、第１色むら補正データ生成部２２及び第２色むら補正データ生成部２３の各々を備えている。例えば、画像補正データ生成装置２は、パーソナルコンピュータあるいはサーバであり、第１色むら補正データ及び第２色むら補正データを生成するアプリケーションがインストールされている。また、パーソナルコンピュータあるいはサーバは、上記アプリケーションが起動されることにより、自身のハードウェア及びソフトウェアの資源を用いて、上記データ入出力部２１、第１色むら補正データ生成部２２及び第２色むら補正データ生成部２３の各々の機能を実現する。
【００２１】
データ入出力部２１は、映像表示装置１における表示部１６の表示画面に表示された表示画面を撮像した撮像画像データを撮像装置３から入力する。そして、データ入出力部２１は、入力した撮像画像データを第１色むら補正データ生成部２２に対して出力する。
このとき、表示部１６の表示画面には、全てのピクセルの色が白、すなわち全白の表示画像（所定の調整表示画像）が表示されている。すなわち、ピクセルを形成する画素の各々の色成分Ｒ（Red）、Ｇ（Green）、Ｂ（Blue）それぞれが２５６階調（０から２５５の階調度）で表現されている場合、全ての画素の階調度が（Ｒ，Ｇ，Ｂ）＝（２５５，２５５，２５５）のである表示画像データ（所定の調整表示画像の表示画像データ）である。
【００２２】
第１色むら補正データ生成部２２は、データ入出力部２１から供給される調整表示画像の撮像画像データから第１色むら補正データを生成する。ここで、第１色むら補正データ生成部２２は、撮像画像データの中央位置におけるピクセルにおける色成分Ｒ、Ｇ及びＢの各々の階調度に対する、撮像画像データの全てのピクセルにおける色成分Ｒ、Ｇ、Ｂそれぞれの階調度比（後述する明るさ比）を求める。
【００２３】
図２は、第１色むら補正データ生成部２２による第１色むら補正データの生成例を説明する概念図である。
図２（ａ）は、表示部１６の表示画面に表示されている調整表示画像を撮像装置３で撮像した撮像画像データの各画素の明るさの分布を示している。この図２（ａ）において、横軸が水平方向の位置（座標値）を示し、縦軸が垂直方向の位置（座標値）を示している。
【００２４】
図２（ｂ）は、点線Ｌ１で示す行領域（画素が水平方向に直列に配列した行）における明るさの分布を示している。図２（ｂ）においては、表示画面における調整表示画像がカラーで撮像されている場合、撮像画像データは各ピクセル毎に色成分Ｒ、Ｇ及びＢのデータが存在するため、色成分毎に明るさの分布が示されている。曲線Ｑ１が色成分Ｒの明るさの分布曲線であり、曲線Ｑ２が色成分Ｇの明るさの分布曲線であり、曲線Ｑ３が色成分Ｂの明るさの分布曲線である。この図２（ｂ）において、横軸が水平方向の位置（座標値）を示し、縦軸が各画素の色成分（一例として色成分Ｂ）の明るさの強度（階調度）を示している。
図２（ｂ）において、色成分Ｒ、Ｇ及びＢの各々の明るさは、撮像画像データのピクセルそれぞれにおける色成分Ｒ、Ｇ、Ｂの階調度である。
【００２５】
図２（ｃ）は、色成分Ｒ，Ｇ及びＢの各々の代表として、点線Ｌ１の行領域における色成分Ｂの色むらの分布を示している。この図２（ｃ）において、横軸が水平方向の位置（座標値）を示し、縦軸が各画素の色むら（後述）の程度を示している。この色むらは、撮像画像データの中央位置Ｃのピクセルにおける色成分Ｂの階調度に対する他の位置のピクセルの色成分Ｂの階調度の比（上述した図２（ｃ）における「程度」に対応）をとして求められる。すなわち、中央位置Ｃのピクセルにおける色成分Ｒ、Ｇ及びＢの各々の階調度を、それぞれ階調度Ｒc、Ｇc、Ｂcとする。また、他の位置ｎのピクセルにおける色成分Ｒ、Ｇ及びＢの各々の階調度を、それぞれ階調度Ｒn、Ｇn、Ｂnとする。
【００２６】
中央位置Ｃにおけるピクセルと他の位置ｎのピクセルの明るさの相対比Ｗpは、以下の（１）式により求められる。
Ｗn＝（Ｒn＋Ｇn＋Ｂn）／（Ｒc＋Ｇc＋Ｂc）      …（１）
そして、撮像画像データの各位置の色むらは、以下に示すように、画素成分Ｒについての色むらＲu_nが（２）式、画素成分Ｇについての色むらＧu_nが（３）式、画素成分Ｂについての色むらＢu_nが（４）式で表される。
【００２７】
Ｒu_n＝(Ｒn／Ｒc)／Ｗn                         …（２）
Ｇu_n＝(Ｇn／Ｇc)／Ｗn                         …（３）
Ｂu_n＝(Ｂn／Ｂc)／Ｗn                         …（４）
【００２８】
図２（ｄ）は、点線Ｌ１の行領域における各ピクセルにおける、色成分Ｂに対する第１色むら補正データを示している。この図２（ｄ）において、横軸が水平方向の位置（座標値）を示し、縦軸が各画素の階調度の補正データ（上述した色むらの逆数（調整比率）である後述する第１色むら補正データ）を示している。
第１色むら補正データは、色成分Ｒ、Ｇ及びＢの各々に対応して、色むらＲu_n、Ｇu_n、Ｂu_nそれぞれの逆数として求められ、１／Ｒu_n、１／Ｇu_n、１／Ｂu_nである。
調整表示画像の表示画像データにおける各ピクセルの色成分Ｒ、Ｇ及びＢの各々の画素の階調度に対して、この第１色むら補正データを乗算することにより、図２（ｃ）に示す色むらを補正することができ、表示部１６の表示画面の全てのピクセルが中央位置Ｃのピクセルと同様の明るさを得るはずである。
【００２９】
しかしながら、課題において示したように、外光（太陽光）や白熱電球の光源環境下における表示画面の観察において、外光及び白熱電球と映像表示装置の光源との発光スペクトルの違いにより、実際にユーザが視認した場合と異なった色として、撮像画像データで検出される。結果として、第１色むら補正データで補正された表示画像データを表示した調整表示画像をユーザが視認した際、色むらが十分に補正されていないと感じる。
このため、本実施形態においては、第２色むら補正データ生成部２３により、撮像装置３のユーザが視認する表示画面と撮像画像データとで検出される色むらを補正するため、第２色むら補正データの生成を行なう。
【００３０】
第２色むら補正データ生成部２３は、第１色むら補正データで補正された調整表示画像の表示画像データが表示部１６の表示画面に表示された際、表示されている調整表示画像をユーザが視認しつつ、ユニフォーミティ補正により調整を行なった際の表示画像データ（階調度）であるユーザ調整画像データを映像表示装置から取得する。そして、第２色むら補正データ生成部２３は、取得したユーザ調整画像データに基づき、第２色むら補正データを生成する。
【００３１】
図３は、第２色むら補正データ生成部２３による第２色むら補正データの生成例を説明する概念図である。この図３（ａ）において、横軸が水平方向の位置（座標値）を示し、縦軸が各画素の色成分（一例として色成分Ｂ）の明るさの強度（階調度）を示している。
図３（ａ）は、図２に示した点線Ｌ１で示す行領域における、第１色むら補正データにより補正された表示画像データの調整表示画像の明るさの分布を示している。図３（ａ）においては、図２（ａ）と同様に、調整表示画像がカラーで撮像されている場合、撮像画像データは各ピクセル毎に色成分Ｒ、Ｇ及びＢのデータが存在するため、色成分毎に明るさの分布が示されている。
【００３２】
図３（ａ）において、曲線Ｐ１が色成分Ｒの明るさの分布曲線であり、曲線Ｐ２が色成分Ｇの明るさの分布曲線であり、曲線Ｐ３が色成分Ｂの明るさの分布曲線である。
ここで、図２（ａ）と同様に、色成分Ｒ、Ｇ及びＢの各々の明るさは、撮像画像データのピクセルそれぞれにおける色成分Ｒ、Ｇ、Ｂの階調度である。
【００３３】
図３（ｂ）は、図２に示した点線Ｌ１で示す行領域における、第１色むら補正データにより補正された表示画像データの調整表示画像を、ユーザが手動によりユニフォーミティ調整を行なった後のユーザ調整画像データの明るさの分布を示している。この図３（ｂ）において、横軸が水平方向の位置（座標値）を示し、縦軸が各画素の色成分（一例として色成分Ｂ）の明るさの強度（階調度）を示している。
【００３４】
また、図３（ｂ）においては、図３（ａ）と同様に、調整表示画像がカラーで撮像されている場合、撮像画像データは各ピクセル毎に色成分Ｒ、Ｇ及びＢのデータが存在するため、色成分毎に明るさの分布が示されている。曲線Ｐ１が色成分Ｒの明るさの分布曲線であり、曲線Ｐ２が色成分Ｇの明るさの分布曲線であり、曲線Ｐ３が色成分Ｂの明るさの分布曲線である。図３（ｂ）と同様に、色成分Ｒ、Ｇ及びＢの各々の明るさは、撮像画像データのピクセルそれぞれにおける色成分Ｒ、Ｇ、Ｂの階調度である。
【００３５】
図３（ｃ）は、点線Ｌ１の行領域における、第１色むら補正データにより補正された調整表示画像の表示画像データを表示した各ピクセルの色成分Ｂの階調度に対する、ユーザの視認よる階調度の調整量に対応した第２色むら補正データを示している。この図２（ｄ）において、横軸が水平方向の位置（座標値）を示し、縦軸が各画素の階調度の第２色むら補正データ（上述した色むらの逆数）を示している。
【００３６】
すなわち、第２色むら補正データ生成部２３は、第１色むら補正データ生成部２２と同様に、中央位置Ｃのピクセルの色成分Ｒ、Ｇ及びＢの各々の階調度を用い、（１）式から（４）式によって、第２色むら補正データ（上述した１色むら補正データにより補正された表示画像データによる調整表示画像の色むらの逆数（調整比率）である補正データ）を算出する。
【００３７】
この第２色むら補正データは、第１色むら補正データにより補正された表示画像データで表示されている調整表示画像を、ユーザが視認した結果のユーザ調整画像データから算出したため、第１色むら補正データにおける光源環境の差分、すなわち撮像装置３の撮像する撮像画像データから得られない補正成分（第１色むら補正データによる補正結果と実際に表示される色との差分）である。
このため、第２色むら補正データは、撮像装置３の撮像画像データから生成された第１色むら補正データは、十分に補正されなかった調整表示画像の色むら（第１色むら補正データによる色むら補正における光源環境による誤差）を、ユーザの視認により補正した際のユーザ調整画像データに基づき生成した補正データである。
【００３８】
本実施形態においては、映像表示装置１と画像補正データ生成装置２とを別々の装置として説明したが、映像表示装置１内に画像補正データ生成装置２が含まれる構成としても良い。また、マルチディスプレイシステムの場合、このマルチディスプレイシステムを構成する映像表示装置において、いずれか一つあるいは複数の映像表示装置に、画像補正データ生成装置２が含まれる構成の映像表示装置を組み込み、他の映像表示装置に対して、第１色むら補正データ及び第２色むら補正データの各々を供給する構成としても良い。
【００３９】
以下、図１、図４及び図５の各々を用いて、第２色むら補正データの生成処理について説明する。
図４は、本実施形態における画像補正データ生成装置２が第１色むら補正データ及び第２色むら補正データの各々を生成する処理の動作例を説明するフローチャートである。図５は、映像表示装置１及び画像補正データ生成装置２との各々による第２色むら補正データを生成処理を説明する概念図である。
【００４０】
ステップＳ１０１：画像補正データ生成装置２における第１色むら補正データ生成部２２は、図５に示す様に、全面が白を表示する表示画像データ（全ピクセルが白の画像データ：所定の調整表示画像の表示画像データ）を、データ入出力部２１を介して映像表示装置１に送信する。全ピクセルが白とは、色成分Ｒ、Ｇ及びＢの各々のが階調度が最大値、例えば、２５６階調であれば、階調度２５５である。
データ入出力部１１は、画像補正データ生成装置２から供給される調整表示画像の表示画像データを、画像データ記憶部１４に書き込んで記憶させる。
【００４１】
表示制御部１３は、画像データ記憶部１４から、画像補正データ生成装置２から供給される所定の調整表示画像の表示画像データを読み出し、表示部１６の表示画面に対して調整表示画像として表示する。
また、表示制御部１３は、図５に示す様に、所定の調整表示画像が表示部１６の表示画面に表示されたことを示す信号を、画像補正データ生成装置２に対して出力する。
【００４２】
ステップＳ１０２：第１色むら補正データ生成部２２は、所定の調整表示画像が表示部１６の表示画面に表示されたことを示す信号が供給された場合、表示部１６の表示画面に表示されている所定の調整表示画像を撮像する制御信号を、図５に示す様に、データ入出力部２１を介して撮像装置３に送信する。
上記制御信号が供給されることにより、撮像装置３は、表示部１６の表示画面に表示されている所定の調整表示画像を撮像し、図５に示す様に、表示画面を撮像した撮像画像データを画像補正データ生成装置２に対して送信する。
【００４３】
ステップＳ１０３：第１色むら補正データ生成部２２は、撮像画像データからすでに説明したように、（１）式から（４）式により、表示画面におけるピクセルの各々における色成分Ｒ、Ｇ、Ｂそれぞれの階調度を補正する第１色むら補正データを生成する。
そして、第１色むら補正データ生成部２２は、図５に示す様に、生成した第１色むら補正データを映像表示装置１に対して出力する。
【００４４】
ステップＳ１０４：表示画像補正部１２は、画像補正データ生成装置２から供給される第１色むら補正データにより、所定の調整表示画像の表示画像データ（全ピクセルが白の画像データ）の各ピクセルの色成分Ｒ、Ｇ及びＢの階調度を補正する。
そして、表示画像補正部１２は、第１色むらデータにより補正した調整表示画像の表示画像データを、表示制御部１３に対して出力する。
【００４５】
これにより、表示制御部１３は、表示部１６の表示画面に対して、第１色むらデータにより補正した表示画像データを調整表示画像として表示する。
また、表示制御部１３は、第１色むらデータにより補正した調整表示画像の表示画像データが表示部１６の表示画面に表示されたことを示す情報を、画像補正データ生成装置２に対して出力する。
【００４６】
ステップＳ１０５：画像補正データ生成装置２は、表示部１６の表示画面に表示されている色むらの調整を行なうことを示す制御信号を、映像表示装置１に対して出力する。
これにより、表示画像補正部１２は、表示部１６の表示画面に表示されている色むらの調整を行なうことを促すユーザへの通知を、表示部１６の表示画面に表示する。
ユーザは、表示部１６の表示画面に表示された通知に従い、映像表示装置１に設けられているユニフォーミティ機能により、表示画面の調整表示画像の色むらの調整を行ない、ユーザ調整画像データを生成する。
【００４７】
そして、ユーザは、表示部１６の表示画面に表示された調整表示画像の色むら調整が終了したことを映像表示装置１の図示しない入力手段により入力する。
これにより、表示画像補正部１２は、第１色むらデータにより補正した表示画像データの調整表示画像における色むらに対する、ユーザの視認による調整が終了したことを示す信号を画像補正データ生成装置２に出力する。
【００４８】
第２色むら補正データ生成部２３は、所定の調整表示画像が表示部１６の表示画面に表示されたことを示す情報が供給された場合、表示部１６の表示画面に表示されている所定の調整表示画像の画像データであるユーザ調整画像データを供給することを、映像表示装置１に対して要求する制御信号を送信する。
これにより、表示制御部１３は、表示部１６の表示画面に表示されている、ユーザの視認により調整された調整表示画像のユーザ調整画像データを画像補正データ生成装置２に対して送信する。
【００４９】
第２色むら補正データ生成部２３は、ユーザの視認により調整された所定の調整表示画像のユーザ調整画像データから、第１色むら補正データ生成部２２が第１色むら補正データを生成したように、（１）式から（４）式により、ユーザ調整画像データにおけるピクセルの各々における色成分Ｒ、Ｇ、Ｂそれぞれの階調度を補正する第２色むら補正データを生成する。
【００５０】
ステップＳ１０６：そして、第２色むら補正データ生成部２３は、図５に示す様に、生成した第２色むら補正データを映像表示装置１に対して出力する。
ここで、映像表示装置１がマルチディスプレイシステムを構成する複数の映像表示装置の一つである場合、そのマルチディスプレイシステムにおける映像表示装置１以外の他の映像表示装置に対しても、同様に、第２色むら補正データが出力される。マルチディスプレイシステムは、構成要素の映像表示装置が同一の場所に配置されているため、光源環境も同一であると考えられる。ここで、他の映像表示装置も映像表示装置１と同様の構成である。第２色むら補正データ生成部２３は、マルチディスプレイシステムにおける他の映像表示装置の各々に対しても、映像表示装置１の表示画面の所定の調整表示画像を用いて生成した第１色むら補正データを出力する。
【００５１】
ステップＳ１０７：データ入出力部１１は、画像補正データ生成装置２から第２色むら補正データが供給された場合、この第２色むら補正データに添付された識別情報により、供給されたデータが第２色むら補正データであることを検出する。
そして、データ入出力部１１は、供給された第２色むら補正データを、表示画像補正部１２に対して出力する。
【００５２】
表示画像補正部１２は、入力される第２色むら補正データを、調整補正データ記憶部１５に書き込んで記憶させる。このとき、表示画像補正部１２は、第２色むら補正データにタイムスタンプを付して、調整補正データ記憶部１５に記憶させる。
マルチディスプレイシステムである場合、他の映像表示装置においても、第２色むら補正データが供給された場合、映像表示装置１と同様の処理が行なわれる。
【００５３】
図６は、通常の表示画像データを第１色むら補正データ及び第２色むら補正データの各々を用いて映像表示装置が表示画面に表示画像（調整表示画像ではない通常の表示画像）を表示する処理の動作例を示すフローチャートである。ここで、通常の表示画像データとは、第１色むら補正データ及び第２色むら補正データの各々の生成に用いた全面が白の所定の調整表示画像ではなく、ユーザに観察させる全面が調整に用いる白でなく各ピクセルの色が異なる表示画像（映画及びテレビ番組の映像などの動画像のフレーム画像や、絵画、漫画及びポスターなどの静止画）を指している。
【００５４】
ステップＳ２０１：画像補正データ生成装置２における第１色むら補正データ生成部２２は、図５に示す様に、全面（全ピクセル）が白を表示する調整表示画像データ（全白の画像データ：所定の調整表示画像のデータ）を、データ入出力部２１を介して映像表示装置１に送信する。
データ入出力部１１は、画像補正データ生成装置２から供給される調整表示画像データを、画像データ記憶部１４に書き込んで記憶させる。
【００５５】
表示制御部１３は、画像データ記憶部１４から、画像補正データ生成装置２から供給される所定の調整表示画像の調整表示画像データを読み出し、表示部１６の表示画面に対して表示画像として表示する。
また、表示制御部１３は、図５に示す様に、所定の調整表示画像が表示部１６の表示画面に表示されたことを示す信号を、画像補正データ生成装置２に対して出力する。
【００５６】
ステップＳ２０２：第１色むら補正データ生成部２２は、所定の調整表示画像が表示部１６の表示画面に表示されたことを示す信号が供給された場合、表示部１６の表示画面に表示されている所定の表示画像を撮像する制御信号を、図５に示す様に、データ入出力部２１を介して撮像装置３に送信する。
上記制御信号が供給されることにより、撮像装置３は、表示部１６の表示画面に表示されている所定の表示画像を撮像し、図５に示す様に、表示画面を撮像した撮像画像データを画像補正データ生成装置２に対して送信する。
【００５７】
ステップＳ２０３：第１色むら補正データ生成部２２は、撮像画像データからすでに説明したように、（１）式から（４）式により、表示画面におけるピクセルの各々における色成分Ｒ、Ｇ、Ｂそれぞれの階調度を補正する第１色むら補正データを生成する。
そして、第１色むら補正データ生成部２２は、図５に示す様に、生成した第１色むら補正データを映像表示装置１に対して出力する。
データ入出力部１１は、画像補正データ生成装置２から供給された第１色むら補正データを、調整補正データ記憶部１５に対して書き込んで記憶させる。このとき、図４のフローチャートで説明した第２色むら補正データが、すでに調整補正データ記憶部１５に書き込まれている。
【００５８】
ここで、マルチディスプレイシステムの場合、画像補正データ生成装置２は、マルチディスプレイシステムにおける映像表示装置の各々の表示画面の所定の調整表示画像を、撮像装置３により撮像させ、得られた撮像画像データからそれぞれの映像表示装置に対応した第１色むら補正データを得る。表示部１６を構成する液晶ディスプレイなどの特性が液晶映像装置毎に異なるため、液晶映像装置それぞれに対応した第１色むら補正データを生成する必要がある。
【００５９】
ステップＳ２０４：表示画像補正部１２は、調整補正データ記憶部１５の第２色むら補正データを読み出し、その第２色むら補正データを変更する必要があるか否かの判定を行なう。
例えば、表示画像補正部１２は、タイムスタンプを確認して、外部光としての太陽光が照射されない時間帯であるか否か、また晴れの日に生成したが現時点の天気か晴れか否かなどにより、変更が必要か否かの判定を行なう。表示画像補正部１２は、上述した判定をユーザからの入力や、インターネットを介しての情報取得（天気予報や時間帯などの情報を取得）により行なう。
【００６０】
このとき、表示画像補正部１２は、第２色むら補正データが光源環境が生成した際の時点と同様であるため変更する必要がないと判定した場合、処理をステップＳ２０５へ進める。一方、表示画像補正部１２は、第２色むら補正データが光源環境が生成した際の時点と異なるために変更する必要があると判定した場合、処理をステップＳ２１０へ進める。
【００６１】
ステップＳ２０５：表示画像補正部１２は、調整補正データ記憶部１５から第１色むら補正データを読み出す。
そして、表示画像補正部１２は、すでに読み出している第２色むら補正データと、新たに読み出した第１色むら補正データとを用いて表示画像データの補正を行なう。
【００６２】
ステップＳ２０６：表示画像補正部１２は、画像データ記憶部１４から、通常の表示画像データを読み出す。
また、通常の表示画像データが外部装置から供給される場合、データ入出力部１１は、供給される通常の表示画像データを、画像データ記憶部１４に対して、順次書き込んで記憶させる。この場合、表示画像補正部１２は、画像データ記憶部１４から、通常の表示画像データを、入力された順に、順番に読み出す。
【００６３】
ステップＳ２０７：表示画像補正部１２は、読み出した第１色むら補正データと、第２色むら補正データとを用いて表示画像データの補正を行なう。
ここで、表示画像補正部１２は、表示画像データにおけるピクセル毎の色成分Ｒ、Ｇ及びＢの各々に対応する第１色むら補正データと第２色むら補正データとのそれぞれを乗算して、当該表示画像データにおける色むらの補正を行なう。
そして、表示画像補正部１２は、補正した表示画像データを表示制御部１３に出力する。
【００６４】
ステップＳ２０８：表示制御部１３は、表示部１６の表示画面に対して、表示画像補正部１２から供給される表示画像データの表示画像を表示する。
【００６５】
ステップＳ２０９：表示画像補正部１２は、ユーザが表示処理を終了する情報の入力を、映像表示装置１の入力手段に対して行なったか否かの判定を行なう。このとき、表示画像補正部１２は、ユーザが表示処理を終了する情報の入力を行った場合、表示画像データの表示処理を終了する。一方、表示画像補正部１２は、ユーザが表示処理を終了する情報の入力を行った場合、処理をステップＳ２０６へ進める。
【００６６】
ステップＳ２１０：表示画像補正部１２は、画像補正データ生成装置２に対して、新たな第２色むら補正データの生成を指示する信号を出力する。
これにより、画像補正データ生成装置２は、図４に示すフローチャートで説明した処理により、第２色むら補正データを生成し、映像表示装置１に対して出力する。
そして、データ入出力部１１は、新たな光源の環境下で生成された第２色むら補正データを、調整補正データ記憶部１５に書き込んで記憶させる。
【００６７】
図７は、本発明の実施形態の概念を説明する図である。図７おいて、本発明の実施形態における映像表示システム１００は、映像表示部１０１（図１の映像表示装置１に対応）及び画像補正データ生成部１０２（画像補正データ生成装置２に対応）の各々を備えている。
画像補正データ生成部１０２は、映像表示部１０１の表示画面に表示された所定の表示画像（全白の表示画像）を撮像装置１０３（撮像装置３に対応）で撮像した撮像画像データから、第１色むら補正データを算出する。
【００６８】
また、画像補正データ生成部１０２は、算出した第１色むらデータにより補正された所定の表示画像を補正して表示された映像表示部１０１の表示画面の表示画像を視認により補正した際のユーザ調整画像データから第２色むら補正データを生成する。
映像表示部１０１は、表示画面に表示画像を表示する際、第１色むら補正データ及び第２色むら補正データの各々により表示画像データを補正して、自身の表示画面に補正した表示画像データを表示する。
【００６９】
なお、本発明における図１の映像表示装置１及び画像補正データ生成装置２の各々の機能を実現するためのプログラムをコンピュータ読み取り可能な記録媒体に記録して、この記録媒体に記録されたプログラムをコンピュータシステムに読み込ませ、実行することにより、補正データにより表示画像データを補正する処理、また、操作グループ構成に応じた操作グループ単位の画面表示を調整するための調整値の設定を行う処理の制御を行ってもよい。なお、ここでいう「コンピュータシステム」とは、ＯＳや周辺機器等のハードウェアを含むものとする。
【００７０】
また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７２】
１…映像表示装置
２…画像補正データ生成装置
３，１０３…撮像装置
１１，２１…データ入出力部
，１２…表示画像補正部
１３…表示制御部
１４…画像データ記憶部
１５…調整補正データ記憶部
１６…表示部
２２…第１色むら補正データ生成部
２３…第２色むら補正データ生成部
１００…映像表示システム
１０１…映像表示部
１０２…画像補正データ生成部
【図１】
2020068414.tif 000003
【図２】
2020068414.tif 000004
【図３】
2020068414.tif 000005
【図４】
2020068414.tif 000006
【図５】
2020068414.tif 000007
【図６】
2020068414.tif 000008
【図７】
2020068414.tif 000009
【図８】
2020068414.tif 000010
【図９】
2020068414.tif 000011